(57)【特許請求の範囲】
【請求項１】
愛玩動物が出入りする開口部が形成された網戸の網の厚み方向の両面における前記開口部の周囲の少なくとも上部位置に取り付ける基台と、前記開口部の上部位置に取り付けられた前記基台にそれぞれ取り付けられる取付手段と、前記取付手段により前記基台にそれぞれ着脱自在に取り付けられるカーテンとを少なくとも備えた愛玩動物用くぐり戸装置であって、前記開口部の上部位置に取り付けられた前記基台にそれぞれ取り付けられる前記取付手段への前記カーテンに設けられた取付部は、前記網戸の開口部の幅よりも突出したギャザーになっているとともに、前記カーテンの裾部は、前記取付部からカーテンの裾部に行くに従って幅が広くなる裾広がりにすることにより前記取付手段への取付部よりも幅広で前記網戸の開口部の幅よりも突出していて前記網戸の開口部と前記カーテンとの幅方向の隙間が生じないようになっていることを特徴とする愛玩動物用くぐり戸装置。
【請求項２】
前記カーテンの高さ方向の寸法は愛玩動物が出入りした際に愛玩動物の動きに追従して移動し、前記網戸の開口部の反対側に下端が垂れ下がる長さに設定されている請求項１に記載の愛玩動物用くぐり戸装置。
【請求項３】
前記基台が、軟質材で枠状になっていて、網の切口を覆うようにしている請求項１又は請求項２に記載の愛玩動物用くぐり戸装置。
【請求項４】
愛玩動物が出入りする開口部が形成された網戸の網の厚み方向の両面における前記開口部の周囲の少なくとも上部位置に取り付ける基台と、前記開口部の上部位置に取り付けられた前記基台にそれぞれ取り付けられる取付手段と、前記取付手段により前記基台にそれぞれ着脱自在に取り付けられるカーテンとを少なくとも備えた愛玩動物用くぐり戸装置であって、前記開口部の上部位置に取り付けられた前記基台にそれぞれ取り付けられる前記取付手段への前記カーテンに設けられた取付部は、前記網戸の開口部の幅よりも突出したギャザーになっているとともに、前記カーテンの裾部は、前記取付部からカーテンの裾部に行くに従って幅が広くなる裾広がりにすることにより前記取付手段への取付部よりも幅広で前記網戸の開口部の幅よりも突出していて前記網戸の開口部と前記カーテンとの幅方向の隙間が生じないようになっているとともに、前記カーテンの高さ方向の寸法は愛玩動物が出入りした際に愛玩動物の動きに追従して移動し、前記網戸の開口部の反対側に下端が垂れ下がる長さに設定されている愛玩動物用くぐり戸装置。
【発明の詳細な説明】
【技術分野】
【０００１】
本発明は、愛玩動物用くぐり戸装置に関するものである。
【背景技術】
【０００２】
愛玩動物を屋内で飼育する場合において、締め切った部屋での飼育は愛  玩動物にストレスを与えるため、愛玩動物が自由に屋内と屋外を行き来できることが望ましい。然し、そのために飼い主が常時それを見張っていてドアの開け閉めをすることは難しい。愛玩動物が自由に出入りし、尚且つ、蚊などの有害昆虫が侵入することを防止できる愛玩動物用くぐり戸が望まれている。特に、夏季においては、網戸のような通気性の良い仕切りを締め切った状態で有害昆虫の侵入を防止しながら、愛玩動物の出入りが自由なくぐり戸が求められている。
【０００３】
特許文献１には愛玩動物用くぐり戸が示されているが、このくぐり戸は、ポリプロピレン樹脂からなる合成樹脂の板材で形成されており、硬質であるので愛玩動物が頭で押し上げてくぐり戸をくぐる際、くぐり戸と網戸との間に隙間が発生し、該隙間から屋外にいた蚊が屋内に侵入する恐れがあるという問題点があった。
【先行技術文献】
【特許文献】
【０００４】
【特許文献１】特開２００７−１０７２４４号公報
【発明の概要】
【発明が解決しようとする課題】
【０００５】
本発明は、上記従来の問題点を解決するためになされたものであり、愛玩動物がくぐり戸から出入りする際に蚊が屋内に侵入することを阻止することができる愛玩動物用くぐり戸装置を提供することにある。
【課題を解決するための手段】
【０００６】
上記課題を解決するため、本発明の愛玩動物用くぐり戸装置は、愛玩動物が出入りする開口部が形成された網戸の網の厚み方向の両面における前記開口部の周囲の少なくとも上部位置に取り付ける基台と、前記開口部の上部位置に取り付けられた前記基台にそれぞれ取り付けられる取付手段と、前記取付手段により前記基台にそれぞれ着脱自在に取り付けられるカーテンとを少なくとも備えた愛玩動物用くぐり戸装置であって、前記開口部の上部位置に取り付けられた前記基台にそれぞれ取り付けられる前記取付手段への前記カーテンに設けられた取付部は、前記網戸の開口部の幅よりも突出したギャザーになっているとともに、前記カーテンの裾部は、前記取付部からカーテンの裾部に行くに従って幅が広くなる裾広がりにすることにより前記取付手段への取付部よりも幅広で前記網戸の開口部の幅よりも突出していて前記網戸の開口部と前記カーテンとの幅方向の隙間が生じないようになっていることを特徴とする。
又、本発明にあっては、前記カーテンの高さ方向の寸法は愛玩動物が出入りした際に愛玩動物愛玩動物の動きに追従して移動し、前記網戸の開口部の反対側に下端が垂れ下がる長さに設定されていることが好ましい。
又、本発明にあっては、前記基台が、軟質材でできていることが好ましい。
愛玩動物が出入りする開口部が形成された網戸の網の厚み方向の両面における前記開口部の周囲の少なくとも上部位置に取り付ける基台と、前記開口部の上部位置に取り付けられた前記基台にそれぞれ取り付けられる取付手段と、前記取付手段により前記基台にそれぞれ着脱自在に取り付けられるカーテンとを少なくとも備えた愛玩動物用くぐり戸装置であって、前記開口部の上部位置に取り付けられた前記基台にそれぞれ取り付けられる前記取付手段への前記カーテンに設けられた取付部は、前記網戸の開口部の幅よりも突出したギャザーになっているとともに、前記カーテンの裾部は、前記取付部からカーテンの裾部に行くに従って幅が広くなる裾広がりにすることにより前記取付手段への取付部よりも幅広で前記網戸の開口部の幅よりも突出していて前記網戸の開口部と前記カーテンとの幅方向の隙間が生じないようになっているとともに、前記カーテンの高さ方向の寸法は愛玩動物が出入りした際に愛玩動物の動きに追従して移動し、前記網戸の開口部の反対側に下端が垂れ下がる長さに設定されていることが好ましい。
【発明の効果】
【０００７】
本発明の愛玩動物用くぐり戸装置は、愛玩動物が出入りする開口部が形成された網戸の網の厚み方向の両面における前記開口部の周囲の少なくとも上部位置に取り付ける基台と、前記開口部の上部位置に取り付けられた前記基台にそれぞれ取り付けられる取付手段と、前記取付手段により前記基台にそれぞれ着脱自在に取り付けられるカーテンとを少なくとも備えた愛玩動物用くぐり戸装置であって、前記開口部の上部位置に取り付けられた前記基台にそれぞれ取り付けられる前記取付手段への前記カーテンに設けられた取付部は、前記網戸の開口部の幅よりも突出したギャザーになっているとともに、前記カーテンの裾部は、前記取付部からカーテンの裾部に行くに従って幅が広くなる裾広がりにすることにより前記取付手段への取付部よりも幅広で前記網戸の開口部の幅よりも突出していて前記網戸の開口部と前記カーテンとの幅方向の隙間が生じないようになっていることを特徴とするものであるから、愛玩動物が頭でカーテンを押してくぐる際、愛玩動物の動きに追従してカーテンは網戸の開口部の室内側から室外側又は室外側から室内側に移動するのであるが、愛玩動物がくぐり抜けようとする時に位置する側のカーテンが愛玩動物の動きに追従して開口部の開口縁に擦れながら移動するので、カーテンと開口部との間に隙間が発生することはなく、屋外にいる蚊が屋内に侵入することが無いのであり、更に、愛玩動物がくぐり抜けた時に位置する側のカーテンは開口部の端縁から解放されるので、カーテンで開口部を覆うことができ、屋外にいる蚊が屋内に侵入することが無いという効果がある。
また、請求項２のように、前記カーテンの高さ方向の寸法を愛玩動物が出入りした際に愛玩動物の動きに追従して移動し、前記網戸の開口部の反対側に下端が垂れ下がる長さに設定されているものは、愛玩動物が頭でカーテンを押して網戸をくぐる際、愛玩動物の動きに追従してカーテンは網戸の開口部の内側から外側又は外側から内側に移動するとともに、風によってカーテンが多少あおられることがあっても、カーテンと開口部との間に隙間が発生することはなく、屋外にいた蚊が屋内に侵入することが無いという効果がある。
また、請求項３のように、前記基台が、軟質材でできているものは、網の変形に追従して基台も変形するので、基台の端縁で網を損傷することがないという効果がある。
【図面の簡単な説明】
【０００８】
【図１】図１は、本発明の愛玩動物用くぐり戸装置を取付けた網戸の外観斜視図。
【図２】図２は、本発明の愛玩動物用くぐり戸装置を取付けた網戸の要部を拡大するとともにカーテンの一部を切欠した外観斜視図。
【図３】図３は、本発明の愛玩動物用くぐり戸装置の動作状態を説明する断面図。
【図４】図４は、本発明の愛玩動物用くぐり戸装置の動作状態を説明する断面図。
【発明を実施するための形態】
【０００９】
以下、本発明の実施の形態を図１乃至図４に基づいて詳述すると、愛玩動物用くぐり戸装置１は、網戸２の網３に形成された開口部４の周囲の網３の厚み方向の両面における少なくとも上部位置にそれぞれ取り付けられる基台５と、基台５にそれぞれ取り付けられる取付手段６と、取付手段６により基台５にそれぞれ着脱自在に取り付けられるカーテン７とを備えている。
【００１０】
網戸２は、建物の室内と室外の間に取り付けられるものであって、アルミ材でできた矩形状のフレーム８とフレーム８の間に張られた網３とで構成されている。
【００１１】
開口部４は、愛玩動物の大きさに応じて網戸２にはさみなどを用いて開けることができる。開口部４の実施例は四角形にしたが、四角形でなくても構わないものであり、底辺が直線で上部が略円形となった半円形（市販されている犬小屋の入口形状）、台形、円形、楕円形が考えられ、開口部４の形状に対応させて基台５を変形させれば良いものである。
【００１２】
基台５は、網３の両面に接着剤により取り付けられている。基台５は枠状になっていて、基台５により網３の切り口を覆うようにしたものは網３の切口から網３が損傷するのを防止できるとともに、網３の切口が愛玩動物に当たることが無く望ましい。基台５の素材としては網３に固定することから、軽量であることが不可欠であり、網３に大きな集中荷重を与えないためには柔軟性があることが望ましい。基台５は、開口部４の形状に一つの部材で対応可能なものであっても、複数個に分割されたもので対応可能であっても構わないものである。基台５は、開口部４の両面に直接カーテン７を取付けると、汚れた際にカーテン７を着脱するのでカーテン７との網３の取付部は切りっ放しになっているので短時間で損傷してしまうが、基台５を設けることで損傷するのを防止することができるという効果がある。基台５の最も安価で入手が容易な材料としては、軟質塩化ビニールを選択することができるが、軟質塩化ビニールでなくても構わないものであり、発泡材、発泡ウレタンのような発泡合成樹脂、スポンジ、ゴム、必要に応じて防水処理された紙であっても構わないものである。尚、基台５は開口部４の両面における全周に取り付けるのが望ましいが、カーテン７を取付ける位置にのみ設けられていても構わないものであり、ビニールパイプ、ストローのようなものにスリットを入れて該スリットで網３を挟むようにしたものを基台５が設けられていないところに用いても構わないものである。
【００１３】
取付手段６は面状ファスナーを実施例とするものであり、開口部４の周囲に取り付けられた基台５の上部位置にのみ両面テープにより取り付けられている。取付手段６は面状ファスナーを実施例としたが、テープ付スナップのようなスナップを用いても構わないものである。
【００１４】
カーテン７は、布製、特に望ましいものはレース地のものが透光性があるとともに軽量であるので望ましく、特に、チュチュレース地から構成されているものは、カーテンに弾力性があり、変形しても復元するので、愛玩動物が頭でカーテンを押して網戸をくぐる際、愛玩動物の動きに追従してカーテンは網戸の開口部の内側から外側又は外側から内側に移動するのであるが、網戸とカーテンとは線接触となり、網戸とカーテンとの抵抗が少なく、愛玩動物がスムーズにくぐり戸を移動することができるという効果があり、望ましいが、愛玩動物がくぐり戸を移動することができるものであれば、普通の布製でも構わないものである。カーテン７に設けられた取付手段６への取付部９は、ギャザーになっていて、網戸３の開口部４の幅よりも突出していて網戸３の開口部４とカーテン７との幅方向の隙間が生じないようになっている。カーテン７の裾部は、網戸３の開口部４の幅よりも突出していて網戸３の開口部４とカーテン７との幅方向の隙間が生じないようになっている。カーテン７の高さ方向の寸法は、愛玩動物が出入りした際に愛玩動物の動きに追従して移動し、カーテン７が、開口部４の反対側に移動し、開口部４の反対側に設けられた基台５に引っ掛かって垂れ下がる長さに設定されている。カーテン７は、レース地からできた第１のカーテン１０と、チュチュレース地からできた第２のカーテン１１から構成されているものは、チュチュレース地がポリエステルでできており、チュチュレース地の第２のカーテン１１の可撓性により、変形した際の復元力が高く、愛玩動物や風により変形しても短時間で復元するという効果がある。取付手段６は、取付部９に縫製により取り付けられている。カーテン７の取付手段６への取付部９は、開口部４より横方向に１０ミリメートル乃至２０ミリメートル突出しており、カーテン７の裾部１２は、開口部４より横方向及び高さ方向に３０ミリメートル乃至５０ミリメートル突出するよう形成されている。
【００１５】
愛玩動物が頭でカーテン７を押してくぐる際、愛玩動物の動きに追従してカーテン７は網３の開口部４の室内側から室外側又は室外側から室内側に移動するのであるが、図３に示すように、愛玩動物がくぐり抜けようとする時に位置する室内側のカーテン７aが愛玩動物の動きに追従して開口部４の開口縁に擦れながら移動し、開口部４の反対側に垂れ下がって安定するので、カーテン７aと開口部４との間に隙間が発生することはなく、屋外にいる蚊が屋内に侵入することが無いのであり、更に、愛玩動物がくぐり抜けた時に位置する室外側のカーテン７ｂは開口部４の端縁から解放されるので、カーテン７ｂで開口部４を覆うことができ、屋外にいる蚊が屋内に侵入することを防止できる。また、図４に示すように、愛玩動物がくぐり抜けようとする時に位置する室外側のカーテン７ｂが愛玩動物の動きに追従して開口部４の開口縁に擦れながら移動し、開口部４の反対側に垂れ下がって安定するので、カーテン７ｂと開口部４との間に隙間が発生することはなく、屋外にいる蚊が屋内に侵入することが無いのであり、更に、愛玩動物がくぐり抜けた時に位置する室内側のカーテン７aは開口部４の端縁から解放されるので、カーテン７aで開口部４を覆うことができ、屋外にいる蚊が屋内に侵入することを防止できる。
【００１６】
カーテン７は、カーテン７の取付手段６への取付部９がギャザーになっているものを実施例としたが、ギャザーがない長方形のものでもかまわないものである。
【００１７】
愛玩動物用くぐり戸装置１を網戸２に取り付ける方法について、既に、フレーム８に網３が取り付けられているケースでの説明を行う。網３の適当な場所に開口部４をはさみやカッターなどで開ける。その後、基台５を開口部４の両面における周囲に接着剤を用いて取り付ける。その後、基台５に設けられたにカーテン７を取付ける。カーテン７が汚れた場合は、カーテン７を基台５から外すだけで良く、特別な工具やテクニックが不要であり、簡単に取り付けができる。
【符号の説明】
【００１８】
１    愛玩動物用くぐり戸装置
２    網戸
３    網
４    開口部
５    基台
６    取付手段
７    カーテン
８    フレーム
９    取付部
【要約】      （修正有）【課題】愛玩動物がくぐり戸から出入りする際に蚊が屋内に侵入することを阻止することができる愛玩動物用くぐり戸装置を提供する。【解決手段】愛玩動物用くぐり戸装置１は、愛玩動物が出入りする開口部４が形成された網戸２の網３の厚み方向の両面における開口部４の周囲の少なくとも上部位置に取り付ける基台５と、開口部４の上部位置に取り付けられた基台５にそれぞれ取り付けられる取付手段と、取付手段により基台５にそれぞれ着脱自在に取り付けられるカーテン７とを備える。【選択図】図２【図１】
0005637415.tif 000002
【図２】
0005637415.tif 000003
【図３】
0005637415.tif 000004
【図４】
0005637415.tif 000005